(57)【特許請求の範囲】
【請求項１】
構成可能ランプアップおよびランプダウン制御信号を無線機に供給するための媒体アクセスコントロール装置であって、無線機は複数の段を含む送信機を含み、前期複数の段は、特定の無線機実現例に従い特定のタイミングシーケンスでターンオンおよびターンオフされ、前記媒体アクセスコントロール装置は、
ユーザの命令のセットを記憶するための複数のレジスタと、
複数の送信機制御ピンとを含み、前記複数の送信機制御ピンは、複数のレジスタに応答して、送信機にある複数の段に、構成可能ランプアップおよびランプダウン制御信号を印可し、ランプアップおよびランプダウン制御信号は、データを送信する前に複数の段をターンオンし、データを受信する前に複数の段をターンオフするのに必要なタイミングシーケンスを制御し、前記媒体アクセスコントロール装置はさらに、
複数のレジスタに結合され、レジスタセット内の命令を変更して、媒体アクセスコントロール装置が複数の異なる無線機実現例に適合可能であるようにするための、コントローラを含む、媒体アクセスコントロール装置。
【請求項２】
前記ランプアップおよびランプダウン制御信号は、無線機が不適切に活性状態に入ることを防ぐために複数の段のタイミングシーケンスを制御するように構成可能である、請求項１に記載の媒体アクセスコントロール装置。
【請求項３】
前記複数のレジスタと前記複数の送信機制御ピンとの間に結合される状態マシンをさらに含む、請求項２に記載の媒体アクセスコントロール装置。
【請求項４】
前記複数の段は変調器段、中間周波数コンバータ段、および電力増幅器段を含む、請求項３に記載の媒体アクセスコントロール装置。
【請求項５】
前記複数の送信機制御ピンは４個の送信機制御ピンを含む、請求項４に記載の媒体アクセスコントロール装置。
【請求項６】
４個の送信機制御ピンは、送信コマンド信号（ＴＸＣＭＤ）、相補送信コマンド信号（ＴＸＣＭＤＪ）、相補送信パワーイネーブル（ＴＸＰＥＪ）、および相補送信変調器イネーブル（ＴＸＭＯＤＪ）を含む、請求項５に記載の媒体アクセスコントロール装置。
【請求項７】
前記複数のレジスタは６つのレジスタ位置を含む、請求項６に記載の媒体アクセスコントロール装置。
【請求項８】
前記複数のレジスタはＴＧＡＰ１、ＴＧＡＰ２、ＴＧＡＰ３、およびＴＧＡＰ４を含み、ＴＧＡＰ１はＴＸＣＭＤ／ＴＸＣＭＤＪのアサーションとＴＸＰＥＪのアサーションとの間の時間を規定し、ＴＧＡＰ２はＴＸＰＥＪのアサーションとＴＸＭＯＤＪのアサーションとの間の時間を規定し、ＴＧＡＰ３はＴＸＭＯＤＪのデアサーションとＴＸＰＥＪのデアサーションとの間の時間を規定し、ＴＧＡＰ４はＴＸＰＥＪのデアサーションとＴＸＣＭＤ／ＴＸＣＭＤＪのデアサーションとの間の時間を規定する、請求項７に記載の媒体アクセスコントロール装置。
【請求項９】
前記複数のレジスタはビット時間で規定される粒度を含む、請求項８に記載の媒体アクセスコントロール装置。
【請求項１０】
前記複数のレジスタのうち各レジスタの構成可能性の範囲は複数のビット時間であり得る、請求項５に記載の媒体アクセスコントロール装置。
【請求項１１】
前記複数のレジスタのうち各レジスタの構成可能性の範囲は前記複数のレジスタの０−１５ビット時間である、請求項１０に記載の媒体アクセスコントロール装置。
【請求項１２】
媒体アクセスコントロール装置が構成可能ランプアップおよびランプダウン制御信号を無線機に供給できるようにするための方法であって、無線機は複数の段を含む送信機を含み、前期複数の段は、特定の無線機実現例に従い特定のタイミングシーケンスでターンオンおよびターンオフされ、前記方法は、
ユーザの命令のセットを記憶するための複数のレジスタを提供するステップと、
複数のレジスタの命令に応答して、構成可能なランプアップおよびランプダウン制御信号を、複数の送信機制御ピンを通して無線機の中の複数の段に印加するステップとを含み、前記ランプアップおよびランプダウン制御信号は、データを送信する前に複数の段をターンオンし、データを受信する前に複数の段をターンオフするのに必要なタイミングシーケンスを制御し、前記方法はさらに、
前記媒体アクセスコントロール装置が複数の異なる無線機実現例に適合可能であるように、レジスタセット内の命令をコントローラによって変更するステップを含む、方法。
【請求項１３】
無線機が不適切に活性状態に入ることを複数の段のタイミングシーケンスが防ぐように前記ランプアップおよびランプダウン制御信号を構成するステップをさらに含む、請求項１２に記載の方法。
【請求項１４】
前記複数のレジスタと前記複数の送信機制御ピンとの間に状態マシンを結合するステップをさらに含む、請求項１３に記載の方法。
【請求項１５】
変調器段、中間周波数コンバータ段、および電力増幅器段を備えた複数の段を提供するステップをさらに含む、請求項１４に記載の方法。
【発明の詳細な説明】
発明の分野
この発明は、融通性のある無線機のパワーランプ制御に関し、より特定的には、無線送信機のパワーランプ動作の複数の実現例の必要な制御信号伝達を創り出すための融通性のあるインターフェイスに関する。
発明の背景
大抵ネットワークは一連の層として組織化され、各層はその前の層の上に造られている。各層の目的は、上位層にサービスを提供し、これらの層を実行に関する詳細から遮断することである。各対の隣接する層の間には、これらのサービスを規定するインターフェイスが存在する。
国際標準化機構（International Standards Organization）は、開放型システム間相互接続（ＯＳＩ）参照モデルと称される、層をなすネットワークアーキテクチャを開発し、これは以下の７つのプロトコル層を有する。すなわち、応用、プレゼンテーション、セション、トランスポート、ネットワーク、データリンク、および物理層である。
最下位レベルである物理層の機能は、ビットを通信媒体にわたって転送することである。データリンク層の機能は、入力データをデータフレームに分割し、フレームを物理層にわたって連続的に送信することである。各データフレームはヘッダを含み、ヘッダはフレームのための制御およびシーケンス情報を含む。
データリンク層と物理層との間のインターフェイスは、ＭＡＣ装置と称される媒体アクセスコントロール装置と、ＰＨＹ装置と称される物理層信号伝達制御装置とを含む。ＭＡＣ装置およびＰＨＹ装置の目的は、２つのネットワーク局が正しいフレームフォーマットおよびプロトコルによって通信することを確実にすることである。
ワイヤレス・ローカル・エリア・ネットワーク（ＷＬＡＮ）において、無線機が物理的装置であり、自由空間が物理的通信媒体である。ＩＥＥＥ８０２．１１は、ＭＡＣ装置と無線機、つまりＰＨＹ装置との通信プロトコルを規定する、ＷＬＡＮのための提案された規格である。ＷＬＡＮデータ通信プロトコルでは、ＭＡＣ装置とＰＨＹ装置との間に転送される各データフレームが、ＰＨＹヘッダ、ＭＡＣヘッダ、ＭＡＣデータ、および誤り検査フィールドを有することが要求される。ＰＨＹヘッダは、信号の存在、特有の語、フレームの長さなどを示すのに用いられるプリアンブルを含む。ＭＡＣヘッダは、フレーム制御、持続時間、発信元および行先アドレス、ならびにデータシーケンス番号などを含む。
ポータブル無線機ベースの通信システムは、無線機の送信機回路の異なる部分がどのようにパワーオンおよびパワーオフされるべきかを定める無線制御論理によって作られている。この送信機は、ＦＣＣ指定のスペクトル密度エンベロープ外にあるエネルギのスプリアス発生を生じることがあるため、そのような製品はＦＣＣ規定テストに合格できず、そのような製品を動作させるための認可を受けることができない。
ポータブル無線機ベースの通信システムのための基準の無線機インターフェイスは確立されていない。このことは、ある販売元の無線機のためにパワーランプ制御を行なうように作られた制御論理は別の販売元の無線機に対してはこの機能を正しく行なわないことがあることを意味する。以下の発明は、さまざまな無線機のパワーランプ機能を制御するのに用いることのできるインターフェイスを創造することに関する。
したがって、必要とされるのは、無線機の物理層機能性にかかわらず、ＭＡＣ装置と無線機との互換性を提供する融通性のあるＭＡＣインターフェイスである。この発明はそのような必要に向けられる。
発明の概要
この発明は、ワイヤレス・ローカル・エリア・ネットワークにおける無線機の複数のセクションに融通性のあるパワーランプアップおよびランプダウンを提供するための装置を提供し、この装置は
複数の制御ピンを含み、前記装置は
プログラム可能なパワーランプアップおよびランプダウン信号を無線機の複数のセクションに提供するように制御ピンを構成するためのユーザプログラマブル手段を特徴とする。
この発明はまた、ワイヤレス・ローカル・エリア・ネットワークにおける無線機が不適切に活性状態に入らないことを確実にするための装置を提供し、この装置は
複数の制御ピンと、
信号および第１の相補信号が共に無線機に提供されることを確実にするように制御ピンを構成するためのユーザプログラマブル手段とを含む。
この発明はまた、ワイヤレスローカルエリアネットワークにおける無線機の複数のセクションに融通性のあるパワーランプアップおよびランプダウンを提供するための方法を提供し、この方法は
ａ）複数の制御ピンを提供するステップを含み、前記方法は
ｂ）プログラム可能なランプアップおよびランプダウン信号を無線機の複数のセクションに提供するように複数の制御ピンを構成するステップを特徴とする。
【図面の簡単な説明】
図１は、提案されたＩＥＥＥ規格８０２．１１“Frequency Hopping Spread Spectrum Physical Layer Specification”によって規定されるＰＬＣＰフレームフォーマット１０を示すブロック図である。
図２は、ワイヤレス・ローカル・エリア・ネットワーク（ＷＬＡＮ）環境において利用される典型的な無線機のブロック図である。
図３は、この発明によるメディアアクセスコントローラのブロック図である。
図４は、この発明の融通性のあるランプアップおよびランプダウンを提供するためのＭＡＣ装置のプログラミングのフローチャートの図である。
図５は、ランプアップおよびランプダウン信号を提供するために利用されるさまざまな信号のタイミングチャートの図である。
詳細な説明
この発明は、無線送信機のパワーランプ動作の複数の実現例の必要な制御信号伝達を創り出すための融通性のあるインターフェイスの改善に関する。以下の説明は、当業者がこの発明を実施できるように提示され、特許出願およびその要件の文脈において提供される。好ましい実施例のさまざまな修正例と、ここに説明される包括的な原理および特徴とは当業者には容易に明らかになるであろう。
提案されたＩＥＥＥ規格８０２．１１は、ＭＡＣ装置と無線機との間でデータを転送するための、物理層収束手順（ＰＬＣＰ）と称されるいくつかのフレームフォーマットを規定する。ＰＬＣＰフレームフォーマットは、ＷＬＡＮ内でのいずれかの送信局からすべての受信局へのＭＡＣ層情報の非同期転送を規定する。
図１は、提案されたＩＥＥＥ規格８０２．１１“Frequency Hopping Spread Spectrum Physical Layer Specification”によって規定されるＰＬＣＰフレームフォーマット１０を示すブロック図である。この発明はいずれの周波数ホッピング無線機、直接拡散無線機、または赤外線無線機とでも実施できるが、開示される原理をより明らかに示すために周波数ホッピングフレームフォーマットが例として用いられる。したがって、多くの種類の無線機を利用することができ、その利用はこの発明の精神および範囲内に含まれる。ＰＬＣＰフレーム１０は以下の３つの部分を含む。すなわち、ＰＬＣＰプリアンブル１２、ＰＬＣＰヘッダ１４、およびＰＬＣＰプロトコルデータ単位（ＰＤＵ）１６である。ＰＬＣＰプリアンブル１２は２つのサブフィールドを含み、それは同期フィールド２０およびフレーム開始デリミタ２２である。同期フィールド２０は、受信すべき信号を検出し、定常周波数オフセット修正および同期に達するために無線機によって用いられる。フレーム開始デリミタ２２はＰＬＣＰプリアンブルの終りとＰＬＣＰヘッダの始めとを示すのに用いられる。
ＰＬＣＰヘッダ１４は３つのサブフィールドを含み、これはＰＬＣＰ長さワード（ＰＬＷ）２４、ＰＬＣＰ信号伝達フィールド（ＰＳＦ）２６、およびＰＬＣＰヘッダ誤り検査（ＨＥＣ）フィールド２８である。ＰＬＷ２４は、ＰＬＣＰ−ＰＤＵ１６に含まれるオクテットの数を示す。ＰＳＦ２６はＰＬＣＰ−ＰＤＵ１６のビットレートを示し、ＨＥＣフィールド２８はＰＬＣＰ−ＰＤＵ１６における送信の誤りを検出するのに用いられる。ここでは、ＰＬＣＰ−ＰＤＵ１６はＭＡＣデータと呼ぶことにする。
規格案ＩＥＥＥ８０２．１１では、ＰＬＣＰプリアンブル１２を物理的装置、すなわちＷＬＡＮにおいては無線機、によって生成すべきであることが提案されている。しかしながら、ＰＬＣＰプリアンブル１２を生成することは一般的にデジタル動作を伴うが、無線機はアナログ装置である。そのため、アナログ専用の無線機は、ＭＡＣ装置がデジタル動作を行なうため、ＭＡＣ装置がＰＬＣＰプリアンブル１２を生成することを必要とする。しかしながら、別の種類の無線機は規格案に従って設計されており、この機能を行なうためにデジタル論理を組込んでいる。
図２は、ワイヤレス・ローカル・エリア・ネットワーク（ＷＬＡＮ）において利用できる無線機１００のブロック図である。このような無線機１００は典型的には、送信機１０２および受信機１０４を含む。送信機は典型的に以下の３つの段を含む。変調器段１０６（段１）は、中間周波数−無線周波数コンバータ段１０８（段２）に結合され、コンバータ１０８は電力増幅器段１１０（段３）に結合される。無線機１００はまた、受信機１０４を含む。アンテナ１１２は、スイッチ１１６の制御の下で交互に、送信のために送信機１０２の電力増幅器１１０に結合されたり、受信のために受信機１０４に結合されたりする。
典型的なＷＬＡＮシステムでは、送信機１０２の段（変調器１０６、コンバータ１０８、および電力増幅器１１０）の異なるセクションは、それぞれポート１２０から１２４を介して連続的な態様でターンオンおよびターンオフされる。ＦＣＣの要件を満たすために、データを送信する前に無線機１００のさまざまなセクションをターンオンし、データを受信する前に無線機のさまざまな段をターンオフするためにタイミングシーケンスが要求される。
無線送信機の段のすべてが同時にターンオンされる場合、電力増幅器に入る信号は安定しておらず、確定されることもできず、その結果多くの「ジャンク」が送信されることが知られている。この「ジャンク」はＦＣＣ規定に違反する（つまり、「ジャンク」は特定の送信の周波数および電力範囲外である）。したがって、ＷＬＡＮ環境において利用される場合、無線機には周波数および電力スペクトルの使用の制限がある。
それゆえに、無線機１００の段階的なパワーランプアップおよびパワーランプダウンは、無線機１００がＦＣＣパラメータ内で動作することを確実にするのに必要である。現在、ランプアップおよびランプダウンシーケンスのための基準のタイミングは存在しない。したがって、ＷＬＡＮ環境において利用されるさまざまな無線機は、ランプアップおよびランプダウン動作のための異なる種類のタイミングシーケンスを有する。
そのため、従来のＷＬＡＮシステムはその特定のＷＬＡＮのために設計された無線機を含む。したがって、あるＷＬＡＮ向けに設計された特定の無線機は別のＷＬＡＮシステムでは利用することができない。そのため、必要となるのは、異なる種類の無線機を多様なＷＬＡＮシステムにおいて利用することを可能にする装置および方法である。
好ましい実施例では、この発明は多様な無線機をＷＬＡＮ環境において利用することを可能にするパワーランプアップおよびランプダウンを行なうことに向けられる。このことは、特定のＷＬＡＮシステムへの無線機の適合性を考慮した、無線機の送信機へ構成可能な制御信号を提供するＭＡＣ装置を使用することによって達成される。この発明をより特定的に説明するためには、ＷＬＡＮシステムにおいて利用できる構成可能な信号を含むメディアアクセスコントローラ４００のブロック図を示す図３を参照されたい。
ＭＡＣ装置４００はインターフェイス装置４０２を含み、インターフェイス装置４０２は無線機１００に信号を印加する（好ましくはハードワイヤードの）状態マシン４０４を含む。当業者は、ＭＡＣ装置４００がさまざまな機能を実行することに気づくであろう。この発明は無線機のランプアップおよびランプダウン機能の融通性に向けられているため、ＭＡＣ装置４００のその部分についてのみ以下に説明する。
無線インターフェイス装置４０２はまた、レジスタセット４０６を含み、レジスタセット４０６は状態マシン４０４に結合される。ＭＡＣ装置４００はまた、コントローラ４０８を含み、コントローラ４０８はまた、インターフェイス装置４０２に結合される。コントローラ４０８は典型的に、アドバンスト・マイクロ・ディバイシズ・インコーポレイテッド（Advanced Micro Devices,Inc.）またはインテル・コーポレイション（Intel Corporation）によって製造される８０１８８マイクロコントローラである。コントローラ４０８は次に、スタティックランダムアクセスメモリ４１０およびフラッシュメモリ４１２に結合される。
ＭＡＣ装置４００は、コントローラ４０８を通してレジスタセット４０６のプログラミングを可能にする。好ましい実施例では、コントローラ４０８は、フラッシュメモリ４１２内のユーザプログラマブルコードに応答してレジスタセットの中の命令を変更する。また、好ましい実施例では、このＭＡＣ装置４００は複数の制御ピン４１４、４１６、４１８、および４２０を含み、これらは状態マシン４０４に結合され、レジスタセット内のビットに応答する。ピンは、無線機１００の段のランプアップおよびランプダウン時間のプログラム可能性を与えるように構成可能であり、また、極性のプログラミングを可能にし、無線機が不適切にデフォルト不活性状態に入ることを防ぐ。この発明の動作をより完全に理解するために、以下の説明を参照されたい。
ユーザプログラム可能性
この発明による装置および方法はユーザプログラム可能性を与える。図４では、このユーザプログラム可能性の一実施例を示すフローチャートの図が示される。コンパイルしたコードは、ステップ３０２を介して、最初フロッピーディスクなどの媒体上のユーザに提供される。コンパイルしたコードはその中に、ユーザがそれとリンクすることを可能にするホックを有する。そこでステップ３０４を介して、ユーザはプログラムをコンパイルし、ユーザの望むプログラム可能性を提供する。ステップ３０６を介して、ユーザとコンパイルされたコードのプログラムはリンクされ、その後ステップ３０８を介してフラッシュメモリに記憶され、適当な信号を提供する。
このユーザプログラム可能性はマイクロコントローラのファームウェア応用の点で説明したが、当業者はこのシステムがソフトウェアにおいて直接実現でき、その利用はこの発明の精神および範囲内に含まれることに気づくであろう。さらに、この発明はフラッシュメモリ内に記憶されたプログラムに関して説明されるが、当業者はさまざまな種類のメモリを利用して、無線機を構成するのに用いられるプログラムを記憶することができ、その利用がこの発明の精神および範囲の中に含まれることに気づくであろう。
再び図３を参照すると、さまざまな無線機のパワーアップおよびパワーダウンシーケンスを正しく実行するために、ＭＡＣ装置４００は４個の構成可能な送信機制御ピン４１４、４１６、４１８、および４２０を備える。これらのピンは、送信コマンド信号（ＴＸＣＭＤ）、相補送信コマンド信号（ＴＸＣＭＤＪ）、相補送信パワーイネーブル（ＴＸＰＥＪ）、および相補送信機変調器イネーブル（ＴＸＭＯＤＪ）である。各送信機制御ピンをアサートすると、無線機１００の送信機装置の、次に続く段をターンオンし、各送信機制御ピンをデアサートすると、無線機１００の送信機装置の段をターンオフすることになる。
４つの信号のタイミングの関係は以下の態様で構成可能である。すなわち、４つのレジスタ位置がタイミング制御値を含む。４つのレジスタ位置は、ＴＧＡＰ１、ＴＧＡＰ２、ＴＧＡＰ３、およびＴＧＡＰ４と名付けられる。次に、ランプアップおよびランプダウン信号を提供するのに利用されるさまざまな信号のタイミングチャートの図である図５を参照されたい。ＴＧＡＰ１は、ＴＸＣＭＤ／ＴＸＣＭＤＪのアサーションとＴＸＰＥＪのアサーションとの間の時間を規定する。ＴＧＡＰ２は、ＴＸＰＥＪのアサーションとＴＸＭＯＤＪのアサーションとの間の時間を規定する。ＴＧＡＰ３は、ＴＸＭＯＤＪのデアサーションからＴＸＰＥＪのデアサーションまでを規定する。ＴＧＡＰ４は、ＴＸＰＥＪのデアサーションからＴＸＣＭＤ／ＴＸＣＭＤＪのデアサーションまでを規定する。
0003811732.tif 000002
再び、好ましい実施例では、ＴＧＡＰ１、ＴＧＡＰ２、ＴＧＡＰ３、およびＴＧＡＰ４の粒度はビット時間であり、１ビットは無線機とコントローラとの間で伝達される最小のデジタルデータ単位として定義される。好ましい実現例における構成可能性の範囲は０から１５ビット時間である。好ましい実現例での構成可能性の範囲は０から１５ビット時間であるが、当業者は、これらのビット時間が異なることもあり、その変動もこの発明の精神および範囲の中に含まれることに気づくであろう。そのため、好ましい実現例は、３つもの異なる信号処理段によって無線機のパワーランピングを制御することができ、信号処理段の機能は、互いに１ビット時間内に開始／停止するか、または互いに１５ビット時間も離れて開始／停止してもよい。この種のパワーランプステージングは、典型的な無線機実現例がパワーランプオンおよびパワーランプオフ時において最小のスペクトルスプラッタおよび滑らかな帯域内スペクトル密度曲線を達成することを可能にする。
再び図２では、無線機１００の異なる段１０６−１１０の各々は、その段の機能をイネーブルするために異なる信号極性を必要とすることがある。多くの異なる可能なアクティブハイまたはアクティブローの組合せに対応するために、すべての制御ピンの活性状態は構成可能である。たとえば、ＴＸＰＥＪはtxpepolレジスタビットをセットすることによってアクティブハイ表示の信号を送るようにさせることができ、ＴＸＭＯＤＪは、txmodpolレジスタピンをセットすることによってアクティブハイの表示の信号を送るようにさせることができる。下の表は好ましい実施例でのＴＸＰＥＪおよびＴＸＭＯＤＪピンのプログラム可能性を表わす。
0003811732.tif 000003
極性プログラム可能性
この発明の好ましい実施例では、プログラム可能な極性を有する一つの信号を提供する代わりに、ＴＸＣＭＤおよびＴＸＣＭＤＪ信号は、両方とも常時利用可能である。これは、システムが最初パワーアップする時と信号極性ビットが変更される時との間のスプリアス送信を防ぐのに必要である。言い換えると、ＴＸＣＭＤＪピンのみが利用可能であり、無線機実現例がＴＸＣＭＤ制御信号を必要とした場合、ＴＸＣＭＤＪピンのデフォルト不活性状態（つまりＨＩＧＨ）は、無線機に対して活性状態を表わすことになる。この状態は結果として、システムパワーアップ時にスプリアス送信を生じることにつながる。
パワーオンおよびパワーオフのフローの例
前に言及したように無線機１００は、活性化するのにアクティブローの制御入力を必要とする３つの異なる送信段を有する。信号の名称は、ＳＴＡＧＥ１ＤＩＳ、ＳＴＡＧＥ２ＤＩＳ、およびＳＴＡＧＥ３ＤＩＳである。パワーオンのシーケンスオーダは、まずＳＴＡＧＥ１をイネーブルし、次にＳＴＡＧＥ２、そしてＳＴＡＧＥ３をイネーブルすることである。パワーオフのシーケンスオーダは、まずＳＴＡＧＥ３を不能化し、次にＳＴＡＧＥ２、そして最後にＳＴＡＧＥ１を不能化することである。一実施例では、パワーがランプオンしている間、無線機は、ＳＴＡＧＥ１がイネーブルされてからＳＴＡＧＥ２がイネーブルされるまでの間の時間が２ビット時間であり、ＳＴＡＧＥ２をイネーブルしてからＳＴＡＧＥ３をイネーブルするまでの間の時間は３ビット時間であることを特定する。パワーがランプダウンしている間、ＳＴＡＧＥ３の不能化とＳＴＡＧＥ２の不能化との間の特定された時間は１５ビット時間であり、ＳＴＡＧＥ２とＳＴＡＧＥ１との間に必要な時間は１０ビット時間である。以上の特定の仕様を満たすためには、ＳＴＡＧＥ１ＤＩＳはＴＸＣＭＤＪに接続されなければならず、ＳＴＡＧＥ２ＤＩＳはＴＸＰＥＪに接続されなければならず、ＳＴＡＧＥ３ＤＩＳはＴＸＭＯＤＪに接続されなければならない。また、正しい極性を創り出すために、txpepolレジスタビットおよびtxmodpolレジスタビットはリセットされなければならない。これにしたがって、ＴＧＡＰ１、ＴＧＡＰ２、ＴＧＡＰ３、およびＴＧＡＰ４は、それぞれ２ビット時間、３ビット時間、１５ビット時間、および１０ビット時間にプログラムされる。
コントローラが送信コマンドを発すると、ＴＸＣＭＤＪ信号はローにアサートされる。ＴＸＣＭＤＪのローのアサーションの２ビット時間後にＴＸＰＥＪへのアサーションが続く。ＴＸＰＥＪのアサーションの３ビット時間後、ＴＸＭＯＤＪはローにアサートされる。最後に、コントローラはＴＸＭＯＤＪのアサーションの後、データを無線機に送る。
最後のデータが送信された後、ＴＸＭＯＤＪはデアサートされ、その１５ビット時間後、ＴＸＰＥＪがデアサートされる。ＴＸＰＥＪのデアサーションの１０ビット時間後、ＴＸＣＭＤＪがデアサートされ、これで送信が終了される。
この発明は示される実施例に従って説明したが、当業者は、実施例の変形が可能であり、その変形もこの発明の精神および範囲の中に含まれることに気づくであろう。
特定の送信制御ピンおよびレジスタ位置を開示したが、多くの種類の制御ピンおよびレジスタ位置を利用することができ、この利用もこの発明の精神および範囲の中に含まれることが理解されるべきである。
さらに、特定の数の制御ピンを開示したが、プログラム可能性を提供するのに利用するピンの数はどんな数であってもよく、その利用がこの発明の精神および範囲の中に含まれることも容易に理解されるであろう。
したがって、この発明の精神および範囲から逸脱することなく、当業者は数多くの修正を行なうことができ、この発明の範囲は以下の請求の範囲のみによって規定される。
【図１】
0003811732.tif 000004
【図２】
0003811732.tif 000005
【図３】
0003811732.tif 000006
【図４】
0003811732.tif 000007
【図５】
0003811732.tif 000008